(57)【要約】【課題】取付部が本体部の端縁からはみ出さないように取り付けられている構成と比較して、開閉部の閉止時に本体部の端縁と開閉部との隙間が小さくなる取付構造を得る。【解決手段】取付構造Ｓ４０は、画像形成装置１０の筐体を構成する上部カバー１２Ｄと、上部カバー１２Ｄに対して開閉可能に設けられ、上部カバー１２Ｄの端縁４４に対向する閉止位置から上部カバー１２Ｄの外側に開放される開閉カバー１６と、上部カバー１２Ｄの内側の端縁４４に沿う長尺とされ、下端部５０Ｂが端縁４４から開閉カバー１６の側に突出し、端縁４４と開閉カバー１６との隙間を埋める静音部材５０と、静音部材５０を上部カバー１２Ｄの内側の端縁４４の側に貼り付ける両面テープ５４と、を有する。【選択図】図３
2020124866.tif 000002
【特許請求の範囲】
【請求項１】
画像形成装置又は前記画像形成装置の内部装置の筐体を構成する本体部と、
前記本体部に対して開閉可能に設けられ、前記本体部の端縁に対向する閉止位置から前記本体部の外側に開放される開閉部と、
前記本体部の内側の前記端縁に沿う長尺とされ、一部が前記端縁から前記開閉部の側に突出し、前記端縁と前記開閉部との隙間を埋める突出部材と、
前記突出部材を前記本体部の内側の前記端縁の側に貼り付ける貼付部と、
を有する取付構造。
【請求項２】
前記貼付部は、前記本体部の内側に前記突出部材が貼り付けられた状態で、前記端縁から突出しない位置に設けられている請求項１に記載の取付構造。
【請求項３】
前記貼付部は、前記突出部材に貼り付けられた両面テープである請求項２に記載の取付構造。
【請求項４】
前記突出部材の端部に前記突出部材の一辺と交差する方向に切断面が形成されており、
前記本体部の内側の前記突出部材が貼り付けられる位置に、前記突出部材の前記切断面の形状に合わせた窪み部が形成されている請求項２又は請求項３に記載の取付構造。
【請求項５】
前記開閉部は、前記端縁と対向する一端部側が開閉されるように他端部側が前記本体部に回転可能に支持される扉である請求項１から請求項４までのいずれか１項に記載の取付構造。
【請求項６】
前記突出部材は、吸音性を有し、前記本体部と前記開閉部との隙間からの音の漏れ出しを抑制するための静音部材である請求項１から請求項５までのいずれか１項に記載の取付構造。
【請求項７】
請求項１から請求項６までのいずれか１項に記載の取付構造を有し、
前記本体部が外側の筐体である画像形成装置。
【発明の詳細な説明】
【技術分野】
【０００１】
本発明は、取付構造及び画像形成装置に関する。
【背景技術】
【０００２】
下記特許文献１には、現像ロールの軸方向端部において、画像ロール表面と摺擦するシール部材が現像ケースの開口部側のシール貼付け座面に貼り付けられた現像装置が開示されている。
【０００３】
下記特許文献２には、外装ケースに取り付けられる吸音具が開示されている。吸音具は、吸音部材と、この吸音部材が一端側に接続されると共に吸音部材が接続された面と同じ面の他端側に接着力を有する接着部材が設けられた平板部材と、を備えている。
【０００４】
下記特許文献３には、筐体の内部と外部とを仕切る複数のカバーとして、第二カバーと、第二カバーに隣接する第三カバーとを備えた画像形成装置が開示されている。この構造では、第三カバーから内側に突出するカバー突出部と、第二カバーから内部に突出するカバー突出部対向部とを備えており、カバー突出部対向部によって、カバー突出部の先端部を囲むように隙間が形成されている。
【先行技術文献】
【特許文献】
【０００５】
【特許文献１】特開２０１６−１２６２６４号公報
【特許文献２】特開２００７−０９３７６６号公報
【特許文献３】特開２０１５−１８１１５７号公報
【発明の概要】
【発明が解決しようとする課題】
【０００６】
本発明は、取付部が本体部の端縁からはみ出さないように取り付けられている構成と比較して、開閉部の閉止時に本体部の端縁と開閉部との隙間が小さくなる取付構造を得ることが目的である。
【課題を解決するための手段】
【０００７】
第１の態様に係る取付構造は、画像形成装置又は前記画像形成装置の内部装置の筐体を構成する本体部と、前記本体部に対して開閉可能に設けられ、前記本体部の端縁に対向する閉止位置から前記本体部の外側に開放される開閉部と、前記本体部の内側の前記端縁に沿う長尺とされ、一部が前記端縁から前記開閉部の側に突出し、前記端縁と前記開閉部との隙間を埋める突出部材と、前記突出部材を前記本体部の内側の前記端縁の側に貼り付ける貼付部と、を有する。
【０００８】
第２の態様に係る取付構造は、第１の態様に記載の取付構造において、前記貼付部は、前記本体部の内側に前記突出部材が貼り付けられた状態で、前記端縁から突出しない位置に設けられている。
【０００９】
第３の態様に係る取付構造は、第２の態様に記載の取付構造において、前記貼付部は、前記突出部材に貼り付けられた両面テープである。
【００１０】
第４の態様に係る取付構造は、第２の態様又は第３の態様に記載の取付構造において、前記突出部材の端部に前記突出部材の一辺と交差する方向に切断面が形成されており、前記本体部の内側の前記突出部材が貼り付けられる位置に、前記突出部材の前記切断面の形状に合わせた窪み部が形成されている。
【００１１】
第５の態様に係る取付構造は、第１の態様から第４の態様までのいずれか１つの態様に記載の取付構造において、前記開閉部は、前記端縁と対向する一端部側が開閉されるように他端部側が前記本体部に回転可能に支持される扉である。
【００１２】
第６の態様に係る取付構造は、第１の態様から第５の態様までのいずれか１つの態様に記載の取付構造において、前記突出部材は、吸音性を有し、前記本体部と前記開閉部との隙間からの音の漏れ出しを抑制するための静音部材である。
【００１３】
第７の態様に係る画像形成装置は、第１の態様から第６の態様までのいずれか１つの態様に記載の取付構造を有し、前記本体部が外側の筐体である。
【発明の効果】
【００１４】
第１の態様に係る取付構造によれば、取付部が本体部の端縁からはみ出さないように取り付けられている構成と比較して、開閉部の閉止時に本体部の端縁と開閉部との隙間が小さくなる。
【００１５】
第２の態様に係る取付構造によれば、突出部材が貼り付けられた状態で貼付部が本体部の端縁から突出している構成と比較して、本体部の外側から貼付部が見えることが抑制される。
【００１６】
第３の態様に係る取付構造によれば、貼付部が接着剤である場合と比較して、突出部材を本体部の内側の端縁に沿って貼り付ける作業が容易である。
【００１７】
第４の態様に係る取付構造によれば、突出部材が矩形状に形成されている構成と比較して、突出部材が本体部の内側に逆付けされることが抑制される。
【００１８】
第５の態様に係る取付構造によれば、開閉部が扉である構成において、取付部が本体部の端縁からはみ出さないように取り付けられている構成と比較して、開閉部の閉止時に本体部の端縁と開閉部との隙間が小さくなる。
【００１９】
第６の態様に係る取付構造によれば、吸音しないものが取り付けられている構成と比較して、本体部と開閉部との隙間からの音の漏れ出しが抑制される。
【００２０】
第７の態様に係る画像形成装置によれば、取付部が筐体の端縁からはみ出さないように取り付けられている構成と比較して、開閉部の閉止時に本体部の端縁と開閉部との隙間が小さくなる。
【図面の簡単な説明】
【００２１】
【図１】第１実施形態に係る取付構造を備えた画像形成装置を示す斜視図である。
【図２】第１実施形態に係る取付構造を備えた画像形成装置を示す側面図である。
【図３】第１実施形態に係る取付構造を示す側断面図である。
【図４】第１実施形態に係る取付構造に用いられる本体カバー及び静音部材の一部を外側から見た状態で示す斜視図である。
【図５】第１実施形態に係る取付構造に用いられる本体カバー及び静音部材を内側から見た状態で示す背面図である。
【図６】第１実施形態に係る取付構造に用いられる本体カバー及び静音部材の一部を内側から見た状態で示す斜視図である。
【図７】第１実施形態に係る取付構造に用いられる本体カバー及び静音部材の一部を内側から見た状態で示す分解斜視図である。
【図８】第１実施形態に係る取付構造に用いられる本体カバー及び静音部材を示す断面図である。
【図９】第２実施形態に係る取付構造に用いられる開閉カバーの閉止位置における本体カバー及び静音部材を示す断面図である。
【図１０】第１比較例に係る取付構造を示す側断面図である。
【図１１】第２比較例に係る取付構造を示す側断面図である。
【発明を実施するための形態】
【００２２】
以下、本発明を実施するための形態（以下、本実施形態という。）について説明する。以下の説明では、図面に矢印Ｘで示す方向を装置幅方向、矢印Ｙで示す方向を装置高さ方向とする。また、装置幅方向及び装置高さ方向のそれぞれに直交する方向（矢印Ｚ方向）を装置奥行き方向とする。
【００２３】
〔第１実施形態〕
図１〜図８を用いて、第１実施形態の取付構造について説明する。図１には、第１実施形態の取付構造Ｓ４０（図３等参照）を備えた画像形成装置１０の一例が示されている。
【００２４】
＜画像形成装置の全体構成＞
図１に示されるように、画像形成装置１０は、外側の筐体を構成する本体部の一例としての外装ケース１２を備えている。外装ケース１２は、直方体状に形成されている。より詳細には、外装ケース１２は、矩形状の底部カバー１２Ａと、底部カバー１２Ａの縁部の上側で装置幅方向（Ｘ方向）に沿って配置される一対の側部カバー１２Ｂ、１２Ｃと、を備えている。また、外装ケース１２は、図示されていないが、一対の側部カバー１２Ｂ、１２Ｃの奥側で一対の側部カバー１２Ｂ、１２Ｃに連結される側部カバーを備えている。さらに、外装ケース１２は、一対の側部カバー１２Ｂ、１２Ｃと奥側の側部カバーの上側に配置された上部カバー１２Ｄを備えている。側部カバー１２Ｂは、平面視にて装置幅方向（Ｘ方向）の一端部から側部カバー１２Ｃ側にＬ字状に屈曲されている。
【００２５】
また、外装ケース１２には、側部カバー１２Ｂと上部カバー１２Ｄと側部カバー１２Ｃとに囲まれた位置に矩形状の開口部１４が設けられている。さらに、画像形成装置１０は、外装ケース１２に対して回転可能に設けられ、開口部１４を開閉する開閉部の一例としての開閉カバー１６を備えている。
【００２６】
図２に示されるように、開閉カバー１６の幅方向両側の下部には、開閉カバー１６を側部カバー１２Ｂ、１２Ｃに回転可能に支持するヒンジ部１８が設けられている。開閉カバー１６の上部の幅方向中央部には、開閉カバー１６の外装ケース１２へのロック状態を解除する操作部２０が設けられている。一例として、操作部２０を下側に押すことで、開閉カバー１６の外装ケース１２へのロック状態が解除されるようになっている。開閉カバー１６は、下部側が幅方向両側のヒンジ部１８により回転可能に支持される扉である。すなわち、開閉カバー１６は、ヒンジ部１８によって開閉カバー１６の上部側が矢印Ａ方向に回転することで、外装ケース１２の開口部１４を開放するようになっている（図１参照）。ここで、開閉カバー１６の下部側は、一端部側の一例であり、開閉カバー１６の上部側は、他端部側の一例である。
【００２７】
また、画像形成装置１０は、一対の側部カバー１２Ｂの間の下部に、図示しない異なる種類の記録媒体を収容する複数（本実施形態では２つ）の収容部２２を備えている（図１参照）。収容部２２は、底部カバー１２Ａの上側に設けられている。一例として、収容部２２は、外装ケース１２に対して外側にそれぞれ引き出し可能とされている。
【００２８】
画像形成装置１０における外装ケース１２の内部には、図示を省略するが、２つの収容部２２のいずれか一方から記録媒体を取り出して搬送する搬送部と、搬送部によって搬送される記録媒体に画像を形成する画像形成部と、が設けられている。画像形成装置１０では、外装ケース１２の内部の搬送部と画像形成部の構成及び配置については、特に限定されない。
【００２９】
図１に示されるように、上部カバー１２Ｄには、窪み形状とされた排出部２４が設けられており、画像が形成された記録媒体が排出部２４に排出されるようになっている。一例として、開閉カバー１６は、記録媒体を排出部２４に向かって搬送する搬送部の一部と対向して配置されている。また、上部カバー１２Ｄの装置奥行き方向（Ｚ方向）の一方側には、画像形成装置１０の各種操作を行うための操作パネル２６が設けられている。
【００３０】
＜取付構造の構成＞
次に、図３〜図８を用いて、本実施形態の取付構造Ｓ４０について説明する。
【００３１】
図３に示されるように、取付構造Ｓ４０では、開閉カバー１６が外装ケース１２の開口部１４を閉止する閉止状態で、開閉カバー１６の上部側の端縁（すなわち、上側端部）４２は、上部カバー１２Ｄの下部側の端縁（すなわち、下側端部）４４と対向している。開閉カバー１６は、開閉カバー１６の端縁４２が上部カバー１２Ｄの端縁４４と対向する閉止位置から、ヒンジ部１８（図２参照）により、矢印Ａに示すように外装ケース１２の外側に回転し、開口部１４を開放する構成とされている。
【００３２】
また、上部カバー１２Ｄの内側には、内側部材３０が取り付けられている。内側部材３０は、上部カバー１２Ｄの端縁４４の側でクランク状に形成されている。また、開閉カバー１６の端縁４２の内側には、端縁４２に対して交差する方向に延びたＬ字状のリブ３２が設けられている。さらに、リブ３２には、接合部３４を介して内側部材３６が設けられている。本実施形態では、上部カバー１２Ｄの内側部材３０と、上部カバー１２Ｄのリブ３２及び内側部材３６とは、オーバーラップしない形状、すなわち重なり合わない形状とされている。また、開閉カバー１６の回転時に、リブ３２と内側部材３６の通過スペースを確保するため、上部カバー１２Ｄの端縁４４には、開閉カバー１６の端縁４２が重ならないように構成されている。
【００３３】
一般的に、開閉カバーの閉止位置で開閉カバーの縁部と外装ケースの縁部とが水平方向にオーバーラップする構成では、外装ケースの縁部における開閉カバーの縁部とオーバーラップする部分に静音部材を貼り付けることが可能である。しかし、画像形成装置の省スペース化や、他の画像形成装置と共通形状を使用しなければならないなどの理由で、開閉カバーと外装ケースとのオーバーラップ形状が作れない場合がある。例えば、開閉カバーの閉止位置で開閉カバーの端縁と外装ケースの端縁とが対向し、隙間を有する構成では、開閉カバーと外装ケースとがオーバーラップする部分がなく、静音部材を貼り付けることが難しい。このため、画像形成装置の内部の音が開閉カバーと外装ケースとの間から外部に漏れ出す虞がある。
【００３４】
本実施形態の取付構造Ｓ４０では、突出部材の一例としての静音部材５０を上部カバー１２Ｄに取り付ける構造を工夫している。取付構造Ｓ４０では、上部カバー１２Ｄの内側に端縁４４に沿って静音部材５０が取り付けられている。静音部材５０は、上部カバー１２Ｄの端縁４４に沿う長尺とされている。静音部材５０は、静音部材５０に貼り付けられた両面テープ５４によって、上部カバー１２Ｄの端縁４４の側に貼り付けられている。ここで、両面テープ５４は、貼付部の一例である。
【００３５】
静音部材５０は、板状の部材とされている。静音部材５０は、吸音性を有し、上部カバー１２Ｄの端縁４４と開閉カバー１６の端縁４２との隙間からの音の漏れ出しを抑制するための機能を有している。静音部材５０は、吸音性を確保するために、例えば、多孔質材料からなる部材で構成されている。多孔質材料は、音の入射に伴う空気振動が多孔質材料の内部の空気室部分に伝わり、粘性摩擦が生じることで、音エネルギーが熱エネルギーに変換されることで吸音性能を発揮する。本実施形態では、静音部材５０は、外装ケース１２を構成する樹脂よりも柔らかい発泡性樹脂で形成されている。発泡性樹脂としては、例えば、ウレタンフォームなどが用いられる。また、静音部材５０は、画像形成装置１０の外部から見えにくくするため、例えば、黒色の部材で形成されている。
【００３６】
図３〜図５に示されるように、静音部材５０の下端部５０Ｂは、上部カバー１２Ｄの端縁４４から開閉カバー１６の側に突出している。そして、開閉カバー１６が外装ケース１２の開口部１４を閉止する閉止位置で、静音部材５０は、上部カバー１２Ｄの端縁４４と開閉カバー１６の端縁４２との隙間を埋める構成とされている（図３参照）。ここで、下端部５０Ｂは、静音部材５０の一部の一例である。取付構造Ｓ４０では、開閉カバー１６が外装ケース１２の開口部１４を閉止する閉止位置で、静音部材５０の下端部５０Ｂ（すまわち、静音部材５０の突出する側の端部）は、開閉カバー１６の端縁４２と接触している（図３参照）。本実施形態では、静音部材５０の下端部５０Ｂが開閉カバー１６の端縁４２と軽く当たるように接触している。
【００３７】
本実施形態の取付構造Ｓ４０では、開閉カバー１６は、静音部材５０に接触する閉止位置から、静音部材５０の面方向と交差する方向であって静音部材５０から離れる方向（矢印Ａ方向）に回転し、開口部１４を開放する構成とされている。
【００３８】
図５及び図６に示されるように、静音部材５０の長手方向の端部には、静音部材５０の長手方向の一辺５０Ａと交差する方向に切断面５２が形成されている（図７参照）。言い換えると、切断面５２は、静音部材５０の長手方向の端部の一方の角部を面取りした面取り部である。切断面５２は、静音部材５０における上部カバー１２Ｄの端縁４４に貼り付けられる側、すなわち上部カバー１２Ｄの端縁４４から突出しない側にのみ形成されている。本実施形態では、切断面５２は、静音部材５０の上下方向上側に形成されている。また、切断面５２は、静音部材５０の長手方向両側の端部に形成されている（図５参照）。
【００３９】
図７及び図８に示されるように、上部カバー１２Ｄの内側の静音部材５０が貼り付けられる位置には、上部カバー１２Ｄの内側面４６から窪んだ窪み部４８が形成されている。窪み部４８は、静音部材５０の上部の形状に合わせて上部カバー１２Ｄの端縁４４に沿って形成されている。窪み部４８の長手方向の端部には、静音部材５０の切断面５２の形状に合わせて傾斜面４８Ａが形成されている。傾斜面４８Ａは、静音部材５０の長手方向両側の端部に形成されている（図６参照）。窪み部４８の上下方向の幅（すなわち、窪み部４８の長手方向と交差する方向の幅）は、静音部材５０の上下方向の幅（すなわち、静音部材５０の長手方向と交差する方向の幅）よりも短い。
【００４０】
静音部材５０は、両面テープ５４により上部カバー１２Ｄの窪み部４８に貼り付けられている（図８参照）。両面テープ５４の上下方向の幅（両面テープ５４の長手方向と交差する方向の幅）は、窪み部４８の上下方向の幅と等しいか、又は窪み部４８の上下方向の幅よりも僅かに短く設定されている。また、両面テープ５４の長手方向の長さは、窪み部４８の長手方向の長さと等しいか、又は窪み部４８の長手方向の長さよりも僅かに短く設定されている。両面テープ５４の長手方向の端部には、静音部材５０の切断面５２に合わせて切断されたテーパ面（図示省略）が形成されている。なお、両面テープ５４は、静音部材５０に貼り付けた後、切断面５２に合わせて切断してもよい。これにより、両面テープ５４は、上部カバー１２Ｄの窪み部４８に納まるように形成されている。
【００４１】
静音部材５０を上部カバー１２Ｄの端縁４４に取り付ける際には、静音部材５０の上下方向の幅の切断面５２が形成されている側に、静音部材５０の長手方向に沿って両面テープ５４の一方の面を貼り付ける。そして、静音部材５０の切断面５２が窪み部４８の傾斜面４８Ａと対向又は接触するように、両面テープ５４の他方の面を上部カバー１２Ｄの窪み部４８に貼り付ける。これにより、静音部材５０の切断面５２が窪み部４８の傾斜面４８Ａと対向又は接触した状態で、静音部材５０が両面テープ５４により上部カバー１２Ｄの窪み部４８に貼り付けられる。
【００４２】
静音部材５０が両面テープ５４により上部カバー１２Ｄの窪み部４８に貼り付けられた状態では、静音部材５０の下端部５０Ｂが上部カバー１２Ｄの端縁４４から突出している。このとき、両面テープ５４は、上部カバー１２Ｄの端縁４４からはみ出さない。すなわち、取付構造Ｓ４０では、両面テープ５４は、上部カバー１２Ｄの窪み部４８の端縁４４から突出しない位置に貼り付けられている（図３及び図８参照）。
【００４３】
＜作用及び効果＞
次に、本実施形態の作用及び効果について説明する。
【００４４】
本実施形態の取付構造Ｓ４０では、外装ケース１２の側部カバー１２Ｂ、１２Ｃにヒンジ部１８によって開閉カバー１６が回転可能に支持されており、開閉カバー１６の回転により、外装ケース１２の開口部１４が開閉される。開閉カバー１６の閉止位置では、開閉カバー１６の上部側の端縁４２が上部カバー１２Ｄの下部側の端縁４４と対向している。開閉カバー１６は、閉止位置から外装ケース１２の外側に回転することで、外装ケース１２の開口部１４が開放される。
【００４５】
上部カバー１２Ｄの内側の端縁４４には、長尺とされた静音部材５０が両面テープ５４によって貼り付けられている。開閉カバー１６の閉止位置では、静音部材５０の下端部５０Ｂが上部カバー１２Ｄの端縁４４から開閉カバー１６の側に突出し、上部カバー１２Ｄの端縁４４と開閉カバー１６の端縁４２とを埋める構成とされている。本実施形態では、静音部材５０の下端部５０Ｂが開閉カバー１６の端縁４２に接触している。
【００４６】
このため、取付構造Ｓ４０では、取付部が本体部の端縁からはみ出さないように取り付けられている構成と比較して、開閉カバー１６の閉止時に上部カバー１２Ｄの端縁４４と開閉カバー１６との隙間が小さくなる。
【００４７】
また、静音部材５０は、吸音性を有している。このため、取付構造Ｓ４０では、静音部材が本体部の端縁からはみ出さないように取り付けられている構成と比較して、上部カバー１２Ｄの端縁４４と開閉カバー１６の端縁４２との隙間からの音の漏れ出しが抑制される。
【００４８】
また、両面テープ５４は、上部カバー１２Ｄの内側に静音部材５０が貼り付けられた状態で、上部カバー１２Ｄの端縁４４から突出しない位置に設けられている。このため、取付構造Ｓ４０では、突出部材が貼り付けられた状態で貼付部が本体部の端縁から突出している構成と比較して、上部カバー１２Ｄの外側から両面テープ５４が見えることが抑制され、外観上の見栄えが低下することが抑制される。また、突出部材が貼り付けられた状態で貼付部が本体部の端縁から突出している構成と比較して、画像形成装置１０のユーザーが外側から両面テープ５４に触れることが抑制される。
【００４９】
また、静音部材５０に貼り付けられた両面テープ５４によって、静音部材５０は、上部カバー１２Ｄの内側の端縁４４に取り付けられている。このため、取付構造Ｓ４０では、貼付部が接着剤である場合と比較して、静音部材５０を上部カバー１２Ｄの内側の端縁４４に沿って貼り付ける作業が容易である。
【００５０】
また、静音部材５０の長手方向の端部には、静音部材５０の一辺５０Ａと交差する方向に切断面５２が形成されている。また、上部カバー１２Ｄの内側の静音部材５０が貼り付けられる位置には、窪み部４８が形成されており、窪み部４８には、静音部材５０の切断面５２の形状に合わせて傾斜面４８Ａが形成されている。これにより、静音部材５０の切断面５２が窪み部４８の傾斜面４８Ａに接触又は対向するように静音部材５０が窪み部４８に貼り付けられている。このため、取付構造Ｓ４０では、突出部材が矩形状に形成されている構成と比較して、静音部材５０が上部カバー１２Ｄの内側に逆付けされる（すなわち、上下方向を誤って貼り付けられる）ことが抑制される。
【００５１】
また、開閉カバー１６は、上部カバー１２Ｄの端縁４４と対向する上部側が開閉されるように下部側が側部カバー１２Ｂ、１２Ｃに回転可能に支持される扉である。このため、取付構造Ｓ４０では、開閉カバー１６が扉である構成において、取付部が本体部の端縁からはみ出さないように取り付けられている構成と比較して、開閉カバー１６の閉止時に上部カバー１２Ｄの端縁４４と開閉カバー１６との隙間が小さくなる。
【００５２】
さらに、取付構造Ｓ４０を備えた画像形成装置１０では、取付部が筐体の端縁からはみ出さないように取り付けられている構成と比較して、開閉カバー１６の閉止時に上部カバー１２Ｄの端縁４４と開閉カバー１６との隙間が小さくなる。
【００５３】
ここで、図１０を用いて、第１比較例の取付構造Ｓ１０２を備えた画像形成装置１００について説明する。
【００５４】
図１０に示されるように、第１比較例の取付構造Ｓ１０２では、上部カバー１０４Ａの端縁１０８の内側面１０６に、静音部材１１０が両面テープ１１２によって貼り付けられている。上部カバー１０４Ａの端縁１０８の内側面１０６は、平面状とされている。開閉カバー１６の閉止位置では、静音部材１１０の下端部１１０Ａが上部カバー１２Ｄの端縁４４から開閉カバー１６の側に突出している。
【００５５】
静音部材１１０は、矩形状とされている。両面テープ１１２は、静音部材１１０の一方の面の全面に貼り付けられている。このため、上部カバー１０４Ａの端縁１０８の内側面１０６に静音部材１１０が両面テープ１１２によって貼り付けられた状態で、両面テープ１１２は、上部カバー１２Ｄの端縁４４からはみ出している。このため、画像形成装置１００の外側から両面テープ１１２が見え、外観上の見栄えが低下する。また、画像形成装置１００のユーザーが両面テープ１１２に触れる場合がある。
【００５６】
これに対し、本実施形態の取付構造Ｓ４０では、上部カバー１２Ｄの内側に静音部材５０が両面テープ５４により貼り付けられた状態で、両面テープ５４は、上部カバー１２Ｄの端縁４４からはみ出さない（すなわち、端縁４４から突出していない）。このため、取付構造Ｓ４０では、静音部材１１０が上部カバー１０４Ａの内側面１０６に取り付けられた状態で両面テープ１１２が上部カバー１２Ｄの端縁４４から突出している構成（図１０参照）と比較して、上部カバー１２Ｄの外側から両面テープ５４が見えることが抑制され、外観上の見栄えが低下することが抑制される。これと共に、画像形成装置１０のユーザーが両面テープ５４に触れることが抑制される。
【００５７】
次に、図１１を用いて、第２比較例の取付構造Ｓ１２２を備えた画像形成装置１２０について説明する。
【００５８】
図１１に示されるように、第２比較例の取付構造Ｓ１２２では、上部カバー１０４Ａの端縁１０８の内側面１０６に、静音部材１１０が両面テープ１２４によって貼り付けられている。両面テープ１２４は、矩形状の静音部材１１０の幅方向の一方側、すなわち上下方向の下側に貼り付けられている。
【００５９】
取付構造Ｓ１２２では、静音部材１１０の幅方向の一方側に両面テープ１２４を貼り付けた後、両面テープ１２４の他の面を上部カバー１０４Ａの端縁１０８の内側面１０６に貼り付けることで、静音部材１１０が両面テープ１２４を介して上部カバー１０４Ａの端縁１０８の内側面１０６に貼り付けられる。その際、静音部材１１０の両面テープ１２４が上部カバー１０４Ａの端縁１０８の内側面１０６に逆付けされており（上下方向を逆に貼り付けられており）、静音部材１１０の両面テープ１２４側が上部カバー１０４Ａの端縁１０８からはみ出している。このため、画像形成装置１２０の外側から両面テープ１２４が見えることで外観上の見栄えが低下し、また、画像形成装置１２０のユーザーが両面テープ１２４に触れる場合がある。
【００６０】
これに対し、本実施形態の取付構造Ｓ４０では、静音部材５０の長手方向の端部には、静音部材５０の一辺５０Ａと交差する方向に切断面５２が形成されている。また、上部カバー１２Ｄの内側の静音部材５０が貼り付けられる位置には、静音部材５０の切断面５２の形状に合わせて窪み部４８が形成されている。このため、取付構造Ｓ４０では、静音部材１１０が矩形状に形成されている構成と比較して、静音部材５０が上部カバー１２Ｄの内側に逆付けされることが抑制される。したがって、画像形成装置の外側から両面テープが見える場合と比較して、画像形成装置１０の外見上の見栄えの低下が抑制され、また、画像形成装置１０のユーザーが両面テープ５４に触れることが抑制される。
【００６１】
〔第２実施形態〕
図９には、第２実施形態の取付構造Ｓ７２を備えた画像形成装置７０が示されている。なお、前述した第１実施形態と同一構成部分については、同一番号を付してその説明を省略する。
【００６２】
図７に示されるように、取付構造Ｓ７２では、外装ケース１２の開口部１４を開閉する開閉部の一例としての開閉カバー７４が設けられている。開閉カバー７４の閉止位置では、開閉カバー７４の上部側の端縁（すなわち、上側の端部）７６は、上部カバー１２Ｄの下部側の端縁４４と対向している。開閉カバー７４は、閉止位置から矢印Ａに示す外装ケース１２の外側に回転することで、開口部１４を開放する構成とされている。
【００６３】
上部カバー１２Ｄの内側の窪み部４８には、突出部材の一例としての静音部材８０が両面テープ５４によって貼り付けられている。静音部材８０は、上部カバー１２Ｄの端縁４４に沿う長尺とされている。静音部材８０が両面テープ５４により上部カバー１２Ｄの窪み部４８に貼り付けられた状態では、静音部材８０の下端部８０Ｂが上部カバー１２Ｄの端縁４４から開閉カバー７４の側に突出し、上部カバー１２Ｄの端縁４４と開閉カバー７４の端縁７６との隙間を埋める構成とされている。本実施形態では、開閉カバー７４の閉止位置で静音部材８０の下端部８０Ｂは、開閉カバー７４の端縁７６と重なるように配置されており、静音部材８０の下端部８０Ｂの外側面が開閉カバー７４の端縁７６の内側面と接触している。
【００６４】
静音部材８０は、板状とされている。また、静音部材８０は、吸音性を確保するために、例えば、ウレタンフォームなどの発泡性樹脂で形成されている。なお、静音部材８０のその他の構成は、第１実施形態の静音部材５０と同じである。
【００６５】
取付構造Ｓ７２では、第１実施形態の取付構造Ｓ４０と同様の構成により、同様の効果が得られる。また、開閉カバー７４の閉止位置で、静音部材８０の下端部８０Ｂが開閉カバー７４の端縁７６と重なるように配置されている。このため、取付構造Ｓ７２では、開閉部の閉止位置で突出部材の端部が開閉部の端縁と重ならない構成と比較して、上部カバー１２Ｄの端縁４４と開閉カバー７４の端縁７６との隙間からの音の漏れ出しが抑制される。
【００６６】
〔補足説明〕
第１及び第２実施形態の取付構造Ｓ４０、Ｓ７２では、開閉カバー１６、７４は、外装ケース１２に対して回転可能に支持される扉であったが、本発明はこの構成に限定されるものではない。例えば、筐体に対して引き出し可能な開閉部を備えた構成にも、本発明の取付構造を適用することができる。
【００６７】
また、第１及び第２実施形態の取付構造Ｓ４０、Ｓ７２では、外装ケース１２は、画像形成装置１０、７０の外側の筐体を構成していたが、本発明はこの構成に限定されるものではない。例えば、本発明は、画像形成装置の内部装置の筐体を構成する本体部と、本体部の開口部を開閉する開閉部と、を有する取付構造に適用してもよい。画像形成装置の内部装置としては、例えば、トナーを収容する現像装置などが挙げられる。
【００６８】
また、第１及び第２実施形態の取付構造Ｓ４０、Ｓ７２では、静音部材５０、８０は板状であるが、本発明はこの構成に限定されるものではない。静音部材は、一部が本体部の端縁から開閉部の側に突出し、本体部の端縁と開閉部との隙間を埋める形状であれば、他の形状に変更してもよい。例えば、静音部材は、本体部の端縁と開閉部との隙間に入り込む形状としてもよい。
【００６９】
また、第１及び第２実施形態の取付構造Ｓ４０、Ｓ７２では、静音部材５０、８０の長手方向両側に切断面５２が形成されていたが、本発明はこの構成に限定されるものではない。例えば、静音部材の長手方向の一方側に切断面５２を形成し、本体部の内側の静音部材が貼り付けられる位置に、静音部材の切断面の形状に合わせた窪み部を形成してもよい。
【００７０】
また、第１及び第２実施形態の取付構造Ｓ４０、Ｓ７２では、外装ケース１２の上部カバー１２Ｄに静音部材５０、８０が貼り付けられていたが、本発明はこの構成に限定されるものではない。本発明は、例えば、静音部材に代えて、衝撃吸収部材、隙間を埋める部材、又は密閉用部材などの突出部材を筐体の端縁に取り付ける構成に適用してもよい。例えば、現像装置において、本体部の端縁と開閉部との隙間からトナーの漏れ出しを抑制するために、本体部の内側の端縁に突出部材を取り付けてもよい。
【００７１】
また、第１及び第２実施形態の取付構造Ｓ４０、Ｓ７２では、静音部材５０、８０を両面テープ５４で上部カバー１２Ｄの内側に取り付けたが、本発明はこの構成に限定されるものではない。例えば、貼付部の一例としての接着剤を用いて突出部材を本体部の端縁の内側に取り付けてもよい。
【００７２】
なお、本発明を特定の実施形態について詳細に説明したが、本発明はかかる実施形態に限定されるものではなく、本発明の範囲内にて他の種々の実施形態が可能であることは当業者にとって明らかである。
【符号の説明】
【００７３】
１０   画像形成装置
１２   外装ケース（本体部の一例）
１２Ｄ 上部カバー（本体部の一例）
１６   開閉カバー（開閉部の一例）
４４   端縁
４８   窪み部
５０   静音部材（突出部材の一例）
５０Ａ 一辺
５０Ｂ 下端部（一部の一例）
５２   切断面
５４   両面テープ（貼付部の一例）
７０   画像形成装置
７４   開閉カバー（開閉部の一例）
８０   静音部材（突出部材の一例）
８０Ａ 下端部（一部の一例）
Ｓ４０ 取付構造
Ｓ７２ 取付構造
【図１】
2020124866.tif 000003
【図２】
2020124866.tif 000004
【図３】
2020124866.tif 000005
【図４】
2020124866.tif 000006
【図５】
2020124866.tif 000007
【図６】
2020124866.tif 000008
【図７】
2020124866.tif 000009
【図８】
2020124866.tif 000010
【図９】
2020124866.tif 000011
【図１０】
2020124866.tif 000012
【図１１】
2020124866.tif 000013